(57)【特許請求の範囲】
【請求項１】
内側を有する板状の支持部材（１３）の開口内に係合され得るとともに、軸Ｘ−Ｘ’を有する管状体（１２）と、
少なくとも１つの接触ユニット（４）を受容するようになっており、前記支持部材の内側で作動する締付手段（３）を有しているベース（２）と、
前記管状体を前記ベースに固定するための係止手段と、
を備えた電気制御または信号送信装置において、
ベース（２）は、管状体（１２）上に適合し、
前記管状体（１２）は、当該電気制御または信号送信装置の本体部の一部をなしており、
前記係止手段は、ベースを管状体に固定するための摺動ロック（２４）を有しており、
前記摺動ロック（２４）は、操作用部分（２５）を有しており、
前記締付手段は、ベースにヒンジ（３５−２２１）で取付けられた２つの固定フォーク（３３、３４）を有する回動ヨーク（３）からなり、それらの自由端は摺動ロック（２４）の操作用部分（２５）の両側にあり、
前記ヨークは緊密ネジ（３１）を保持しており、
前記緊密ネジ（３１）は、前記ヨーク上のヒンジ取付ナット板（３２）内にネジ締めされ、その回転クリアランスを制限する手段であるベースの孔（２７）と結合されており、
前記緊密ネジ（３１）の先鋭な端部が前記緊密ネジ（３１）による前記ヒンジ取付ナット板（３２）のネジ締め位置よりも軸Ｘ−Ｘ’に近いという態様で、前記２つの固定フォーク（３３、３４）の自由端と前記緊密ネジ（３１）の先鋭な端部とが、前記支持部材に当接して当該支持部材に圧力を作用させる
ことを特徴とする電気制御または信号送信装置。
【請求項２】
ヨーク（３）は、略Ｕ字型である
ことを特徴とする請求項１に記載の電気制御または信号送信装置。
【請求項３】
緊密ネジ（３１）は、その軸Ｙ−Ｙ′が略Ｕ字型のヨークの固定フォーク（３３と３４）に平行な平面と鋭角を形成するように取付けられている
ことを特徴とする請求項２に記載の電気制御または信号送信装置。
【請求項４】
ヨーク（３）の固定フォーク（３３と３４）は、管状体（１）の軸Ｘ−Ｘ′に垂直でこれと共同に作用するヒンジ軸（３５−２２１）によって、ベースにヒンジ結合されている
ことを特徴とする請求項１に記載の電気制御または信号送信装置。
【請求項５】
摺動ロック（２４）の操作用部分は、外側の操作用フィンガ（２５）であり、それはベース（２）のスライダ内に挿入され、管状体（１）の軸Ｘ−Ｘ′へとそれを移動しようとする係止バネ（２６）を支持するようになっている
ことを特徴とする請求項１に記載の電気制御または信号送信装置。
【請求項６】
接触ユニット（４）は、可動の係止ロック（４１）と、ベース（２）内に引掛かる固定係止フィンガ（４２）と、を有しており、
前記係止フィンガ（４２）および前記係止ロック（４１）は、装置の軸Ｘ−Ｘ′を通る平面の両側に配置されている
ことを特徴とする請求項１に記載の電気制御または信号送信装置。
【請求項７】
ベース（２）は、本体部（２２）とプレート（２３）とを有する
ことを特徴とする請求項１に記載の電気制御または信号送信装置。
【発明の詳細な説明】
【０００１】
【発明の属する技術分野】
本発明は、表面の開口内に係合され得るとともに、少なくとも１つの電気ユニットを受容するようになっているベースに係止手段を用いて適合され得る管状体と、表面の裏側で作動する締付手段とからなる、押ボタンや指示ランプや同様の構成部品のような電気制御または信号送信装置に関している。
【０００２】
【従来の技術】
前記締付手段は、開口の管状体のネジ部とネジ結合するナットで構成され得る。
【０００３】
他の締付手段は、管状体上に適合され接続ユニットを保持するベースから構成される。このベースは、ネジによって作動される回動フックアームや係止ネジのようなフック手段を保持する。そのような手段は欧州特許第４５２４６２号やＷＯ９１／０７７９０号国際公開公報に記載されている。
【０００４】
【発明が解決しようとする課題】
本発明の目的は、把持力が装置の対称軸内で作動され、漏れ緊密性の良好な程度を有するフロントパネルを与える締結を提供することである。この締結は、回転に対する改良された抵抗に加えてその表面と同じ高さに装置を保持するためのかなりの力を及ぼす。
【０００５】
【課題を解決するための手段】
本発明によれば、ベースは管状体上に適合し、ベースと管状体は摺動ロックと、ベースにヒンジで取付けられた２つの固定フォークを有する回動ヨークからなる締結手段とによって組立てられる。それらの自由端は、ロックの外側部分の両側にあり、前記ヨークは緊密ネジを保持している。
【０００６】
ある特徴によれば、ヨークは略Ｕ字型である。
【０００７】
別の特徴によれば、緊密ネジはヨーク上のヒンジ取付ナット板内にネジ締めされ、その回転クリアランスを制限する手段と結合されている。
【０００８】
【発明の実施の形態】
本発明は一例として与えられ添付の図面で説明される実施例を参照して記述される。
【０００９】
図１は本発明による押ボタンの分解斜視図である。
【００１０】
図２は図１の押ボタンの軸方向断面図である。
【００１１】
図３は図１および図２の押ボタンの正面図である。
【００１２】
図４は図１乃至図３の押ボタンの斜視図である。
【００１３】
図５は図１の押ボタンを修正した押ボタンの分解斜視図である。
【００１４】
図１乃至図５に示した電気制御または信号送信装置は、頭部１１と、軸ＸＸ′の周りに頭部の幅より小径の略円筒状の形状の管状部１２とからなる本体部１を有する押ボタンである。この装置は、薄い支持面１３上に取付けられ、頭部は薄い支持面１３の外側面上にシールまたはラベル（図示せず）を有することが可能で、制御パネルやキャビネットなどの包み部の一部であり得る。その表面は円環状開口１３１によって貫通され、この開口１３１には押ボタンの管状部１２が係合されている。
【００１５】
押ボタンの締結は、略長方形型の締結ベース２を用いて達成される。ベースは、本体部２２と、公知の手段で本体部に適合された接続保持板２３とを有している。本体部２２は、管状部１２を収容するようになっている中央孔２１を有している。接続保持板２３は、中央孔２３３によって貫通され、接続スイッチユニットや補助ユニットのような取外し可能な電気ユニット４を保持するために用いられる。その結果、それらは取外され得るし、所定位置に係止されることもできる。
【００１６】
ベース２は、管状部１２に嵌合し、ベースが軸方向に外れることを防ぐヨーク型の摺動ロック２４によって管状部分に組立てられる。ロックは、外側に作動フィンガ２５を有している。それはベース２のスライダ内に挿入され、対称軸ＸＸ′へとそれを移動しようとする係止バネ２６による作用力を受けるようになっている。
【００１７】
ベース２は、表面１３の内側に取付けられている。それは、Ｕ字型のヨークであって先鋭な一端を有する緊密ネジ３１を支持する回動ヨーク３によって、表面１３の内側に固定されている。ヨークは、ブリッジ３７によって結合された２つの固定フォーク３３と３４を有している。
【００１８】
図１乃至図４の実施例では、緊密ネジ３１はナット板３２内にネジ締めされている。ナット板３２は、固定フォーク３３と３４との間で回動するように取付けられている。緊密ネジ３１は本体部２２の孔２７に案内される。ナット板３２は、ヒンジ３６によってヨークにヒンジ結合されている。ナット板３２の回転クリアランスは、ヒンジ３６内に設けられた止め具によって制限されている。
【００１９】
図５の修正された押ボタンにおいては、緊密ネジ３１は、２つの固定フォーク３３と３４をヨーク３に締付けるブリッジ３７に設けられたネジ穴内にネジ締めされている。ブリッジ３７は、ネジ３１の対称軸Ｙ−Ｙ′が２つの固定フォーク３３と３４に平行な平面と鋭角を形成するようにねじれている。
【００２０】
ヨーク３の横のフォークは、ベース２の外側に取付けられ、本体部２２の一部として構成されたスピンドル部２２１と連結されるヒンジベアリング３５によって、それらはベース２に対してヒンジ結合されている。スピンドル部２２１は、対称軸Ｘ−Ｘ′に垂直で、これと共同に作用する。
【００２１】
摺動ロック２４は、ヨークのフォーク３３，３４の自由端の間に収容されている。その結果ロックへのアクセスが、ユニット４が分解される時に容易である。従って、フォーク３３と３４の自由端とネジ３１によって作用される表面１３上の圧力は、軸Ｘ−Ｘ′を通ってかつ車軸３５−２２１を通る平面の両側に影響する。ヒンジ（ちょうつがい）軸３５−２２１は中心に位置されているので、押ボタンの力は軸Ｘ−Ｘ′に沿って作用される。
【００２２】
接続ユニット４は、好ましくは金属である接続保持板２３上に締付けられている。このユニット４は、プレートのスロット２３１内に係合可能な可動の係止ロック４１と、プレートのスロット２３２内に引掛かる固定係止フィンガ４２とを有しており、フィンガおよびロック４１，４２は、Ｘ−Ｘ′を通る平面の両側に配置されている。
【００２３】
前述の装置は以下のように作動する。
【００２４】
取付をする人は、表面１３の開口１３１内に押ボタンの管状部１２を係合し、摺動ロック２４が所定位置に係止するまで管状部１２上にベース２を嵌め付ける。次にヨーク３が、ネジ３１を回転することによって図２乃至図４に示される把持位置にもたらされる。この操作中に、ヨークの２つの固定フォーク３３，３４の自由端が表面１３上に当接するようになる。一方、ネジ３１の先鋭な端部もまた表面上に当接するようになる。従って、３つの締付け点が存在することとなり、良好な把持状態と回転に対する抵抗を与える。
【００２５】
詳細部の修正や改良は、同様の手段の使用においても、本発明の内容にとどまって明瞭に把握され得る。
【図面の簡単な説明】
【図１】本発明による押ボタンの分解斜視図。
【図２】図１の押ボタンの軸方向断面図。
【図３】図１および図２の押ボタンの正面図。
【図４】図１乃至図３の押ボタンの斜視図。
【図５】図１の押ボタンを修正した押ボタンの分解斜視図。
【符号の説明】
１  本体部
２  ベース
３  回動ヨーク
４  電気ユニット
１１  頭部
１２  管状体
１３  支持表面
１３１  環状開口
２１  中央孔
２２  本体部
２２１  スピンドル部
２３  接続保持板
２３１  スロット
２３２  スロット
２３３  中央孔
２４  摺動ロック
２５  作動フィンガ
２６  係止バネ
２７  孔
３１  緊密ネジ
３２  ナット板
３３  固定フォーク
３４  固定フォーク
３５  ヒンジベアリング
３６  ヒンジ
３７  ブリッジ
４１  可動係止ロック
４２  固定係止フィンガ
【図１】
0004255146.tif 000002
【図２】
0004255146.tif 000003
【図３】
0004255146.tif 000004
【図４】
0004255146.tif 000005
【図５】
0004255146.tif 000006